(57)【要約】【課題】  データ信号の電圧切り替わりに起因する表示品位の低下を防止する。【解決手段】  選択する走査線に対応する１行分の画素の各々に対し、画素の階調値に応じたパルス幅の変調方法を、選択電圧を印加する期間に対して時間的に前方に寄せる方式か、または、時間的に後方に寄せる方式かについて階調値毎に予め定められた比率で決定し、決定した変調方法をして、データ線を介してそれぞれ供給する。【選択図】      図７
2007024921.tif 000002
【特許請求の範囲】
【請求項１】
複数の走査線と複数のデータ線との交差に対応して設けられた複数の画素と、
前記複数の走査線を順番に選択するとともに、選択した走査線に所定の選択電圧を印加
する走査線駆動回路と、
前記走査線駆動回路により選択された走査線に対応する１行分の画素の各々に対し、画
素の階調値に応じたパルス幅を、前記選択電圧が印加される期間に対して時間的に前方に
寄せる方式か、または、時間的に後方に寄せる方式かについて階調値毎に予め定められた
比率で決定する決定回路と、
階調値に応じたパルス幅を、前記決定回路によって決定された方式で生成し、前記デー
タ線を介してそれぞれ供給するデータ線駆動回路と、
を具備することを特徴とする電気光学装置。
【請求項２】
前記パルス幅は、
前記選択電圧に近いオフ電圧および前記選択電圧と遠いオン電圧の２値電圧のうち、当
該選択電圧が印加される期間で前記オン電圧が印加される期間である
ことを特徴とする請求項１に記載の電気光学装置。
【請求項３】
前記決定回路は、
複数の異なる階調値に対する前記比率を同一として、前記前方に寄せる方式又は前記後
方に寄せる方式を決定する
ことを特徴とする請求項１に記載の電気光学装置。
【請求項４】
前記決定回路は、
前記前方に寄せる方式又は前記後方に寄せる方式の一方を当該階調値に応じた個数だけ
連続して決定した後、他方に決定する
ことを特徴とする請求項１に記載の電気光学装置。
【請求項５】
前記決定回路を、前記データ線駆動回路に組み込んだ
ことを特徴とする請求項２または３に記載の電気光学装置。
【請求項６】
前記データ線駆動回路は、
階調データで示される画素の階調値をデコードするデコーダを備え、
前記デコーダによってデコードされた階調値に対応する画素へのパルス幅を、設定され
た比率にしたがって前記前方に寄せる方式とするか、前記後方に寄せる方式とするかを決
定する
ことを特徴とする請求項５に記載の電気光学装置。
【請求項７】
複数の走査線と複数のデータ線との交差に対応して複数の画素を備える電気光学装置の
駆動方法であって、
前記複数の走査線を順番に選択するとともに、選択した走査線に所定の選択電圧を印加
し、
選択する走査線に対応する１行分の画素の各々に対し、画素の階調値に応じたパルス幅
を、前記選択電圧を印加する期間に対して時間的に前方に寄せる方式か、または、時間的
に後方に寄せる方式かについて階調値毎に予め定められた比率で決定し、
階調値に応じたパルス幅を、前記比率に基づいて前記データ線を介してそれぞれ供給す
る
ことを特徴とする電気光学装置の駆動方法。
【請求項８】
請求項１乃至６のいずれかに記載の電気光学装置を備える
ことを特徴とする電子機器。
【発明の詳細な説明】
【技術分野】
【０００１】
本発明は、いわゆる横クロストークの発生を抑える技術に関する。
【背景技術】
【０００２】
液晶などの電気光学的な変化により表示を行う電気光学装置では、次のようなパルス幅
変調によって各画素の階調表示が行われる場合がある。すなわち、このパルス幅変調は、
走査線（コモン電極）に選択電圧が印加される期間に、データ信号として階調に応じたパ
ルス幅の信号を、データ線（セグメント電極）に印加することによって、画素に印加され
る電圧実効値を制御して階調表示を行う、というものである。ただし、このパルス幅変調
を用いた場合、表示ムラが走査線の延設方向（横方向）に発生する、という横クロストー
クが問題視された。
【０００３】
この横クロストークの原因は、パルスによりデータ線の電圧が変化すると、当該データ
線と容量結合する走査線の電位が変動して、画素の階調を決定付ける画素容量（液晶容量
）の電圧実効値を変動させるためである、と考えられる。このため、横クロストークを低
減するために、選択された画素１行分における階調値の発生度数を計数するとともに、こ
れらの計数結果に基づいて、選択された行に位置する画素の各々に印加するデータ信号の
電圧を補正する技術が提案された（例えば、特許文献１参照）。この技術によれば、画素
１行分の表示パターンに依存した実効電圧の変動を見越した上で、データ信号のパルス幅
（電圧）が補正されるので、電圧実効値の変動分を相殺でき、結果的に、横クロストーク
の低減を図ることができる。
【特許文献１】特開平８−１６０３９２号公報
【発明の開示】
【発明が解決しようとする課題】
【０００４】
しかしながら、この技術では、補正量の算出に当たり、複雑な計算を要するので、回路
構成が複雑になるほか、回路規模も増大するため、低価格化や低消費電力化を大きく阻害
する。
本発明は、このような事情に鑑みてなされたもので、その目的とするところは、簡易な
構成によって横クロストークの発生を抑える電気光学装置、その駆動方法および電子機器
を提供することにある。
【課題を解決するための手段】
【０００５】
上記目的を達成するため本発明にあっては、複数の走査線と複数のデータ線との交差に
対応して設けられた複数の画素と、前記複数の走査線を順番に選択するとともに、選択し
た走査線に所定の選択電圧を印加する走査線駆動回路と、前記走査線駆動回路により選択
された走査線に対応する１行分の画素の各々に対し、画素の階調値に応じたパルス幅を、
前記選択電圧が印加される期間に対して時間的に前方に寄せる方式（以下便宜的に「左寄
せ」という場合がある）か、または、時間的に後方に寄せる方式（以下便宜的に「右寄せ
」という場合がある）かについて階調値毎に予め定められた比率で決定する決定回路と、
階調値に応じたパルス幅を、前記決定回路によって決定された方式で生成し、前記データ
線を介してそれぞれ供給するデータ線駆動回路と、を具備することを特徴とする。本発明
によれば、データ線へのパルス幅が、階調値毎に適正な比率で左寄せ又は右寄せられて供
給されるので、データ線での電圧切り替わりに伴う電圧変動成分が両者パルスによって打
ち消し合う結果、電圧変動に起因する横クロストークの発生を抑えることが可能となる。
なお、本発明において、前記パルス幅は、前記選択電圧に近いオフ電圧および前記選択
電圧と遠いオン電圧の２値電圧のうち、当該選択電圧が印加される期間で前記オン電圧が
印加される期間である場合がある。
【０００６】
本発明において、前記決定回路は、複数の異なる階調値に対する前記比率を同一として
、左寄せ又は右寄せを決定する構成としても良いし、左寄せ又は右寄の一方を当該階調値
に応じた個数だけ連続して決定した後、他方に決定する構成としても良い。
また、本発明において、前記決定回路を、前記データ線駆動回路に組み込んだ構成とし
ても良い。この構成において、前記データ線駆動回路は、階調データで示される画素の階
調値をデコードするデコーダを備え、前記デコーダによってデコードされた階調値に対応
する画素へのパルス幅を、設定された比率にしたがって左寄せするか、右寄せするかを決
定しても良い。
なお、本発明は、電気光学装置のみならず、電気光学装置の駆動方法としても、さらに
は、当該電気光学装置を有する電子機器としても概念することが可能である。
【発明を実施するための最良の形態】
【０００７】
図２（ａ）に示されるように、画素１１６が、走査線３１１とデータ線２１１との交差
に応じて配列するとともに、それぞれ画素容量１１８と薄膜ダイオード素子（Thin Film 
Diode：以下、単に「ＴＦＤ」と略称する）２２０との直列接続からなる構成を想定する
。ＴＦＤ２２０は、走査線３１１に供給される走査信号が選択電圧になると、データ線２
１１に供給されたデータ信号の電圧とは無関係に導通状態となる一方、走査信号が非選択
電圧になると、非道通状態となる素子であり、画素容量１１８は、データ線２１１を一方
の電極とし、ＴＦＤ２２０に接続された画素電極を他方の電極として、両電極で液晶を挟
持したものであって、両電極で保持された電圧実効値に応じた透過率（反射率）となるも
のである。
【０００８】
したがって、この画素１１６に対しては、複数の走査線３１１を順番に選択するととも
に、選択した走査線３１１に選択電圧を印加する一方、データ線を介して、階調に応じた
電圧をデータ信号として供給すると、選択電圧が印加されると、ＴＦＤ２２０が導通状態
となって、走査信号とデータ信号との差に応じた電圧が画素容量１１８に保持される。走
査信号が非選択電圧となってＴＦＤ２２０が非導通状態となっても、画素容量１１８は、
ＴＦＤ２２０が導通状態となったときの電圧を保持する。
このため、各画素１１６は、走査線に選択電圧が印加されたときに、データ線に供給す
るデータ信号の電圧を、階調値に応じて規定することによって、画素１１６毎の階調表示
が可能となる。
【０００９】
ここで、データ信号の電圧を階調値に応じたアナログ電圧とすると、階調値に応じて多
数電圧を用意する必要があり、電源回路の複雑化を招く。このため、図２（ａ）に示され
るような画素の構成では、データ信号の電圧を、異なる２値電圧の印加期間の割合で規定
する、すなわち、パルス幅変調で制御する方式が一般的となる。
【００１０】
このように、画素１１６の階調表示をパルス幅変調により行う場合、パルスの印加タイ
ミングに着目すると、右寄せ方式、および、左寄せ方式に大別することができる。
詳細には、図１５（ａ）に示されるように、走査線が選択される水平走査期間（１Ｈ）
のうち、その後半期間（０．５Ｈ）に、当該走査線に正極性選択電圧＋Ｖsまたは負極性
選択線圧−Ｖsが走査信号Ｙｉとして印加される場合に、選択電圧の極性とは反対極性の
電圧であるオン電圧を、選択電圧の印加終了期間を基準に、階調値に応じた期間だけ時間
的前方に延ばして、データ線にデータ信号Ｘｊとして供給する方式が右寄せ方式である。
一方、左寄せ方式とは、同じ場合に、オン電圧を、選択電圧の印加開始期間を基準とし
て、階調値に応じた期間だけ時間的後方に延ばした方式である。
【００１１】
なお、選択電圧において正極性および負極性の２種類があるのは、画素１１６を交流駆
動するためである。ここで、極性については、選択電圧＋Ｖs、−Ｖsの中間電位Ｖcを基
準にして高位側を正極性とし、低位側を負極性としている。また、非選択電圧＋Ｖd、−
Ｖdは、それぞれデータ信号の電圧と兼用している。
一方、図１５（ａ）においては、選択電圧＋Ｖs、−Ｖsを、水平走査期間のうち、半分
の後半期間に印加しているが、その理由は、後半期間におけるデータ信号の電圧＋Ｖd、
−Ｖdの比率とは、逆の比率で電圧を前半期間に印加することで、電圧＋Ｖd、−Ｖdとな
る比率を階調値に依存することなく５０％ずつとし、これによりデータ信号の電圧実効値
を各データ線同士で均等化する意図があるためである。
したがって、このような意図がなければ、選択電圧を、水平走査期間（１Ｈ）の全域に
わたって印加する構成としても良い。
【００１２】
ところで、右寄せと左寄せとを比較した場合、左寄せでは、データ信号が、階調値に応
じたパルス幅のオン電圧となった後に、選択電圧と同極性のオフ電圧に変化するので、放
電が発生する。このため、階調制御がその分困難となるだけでなく、放電を見越す必要が
あるので、駆動電圧も高くなる。したがって、この点において、右寄せの方が有利である
。
【００１３】
しかしながら、データ信号を右寄せで統一すると、次のような理由で横クロストークが
発生する、という不都合が生じた。
ある走査線が選択されて正極性の選択電圧＋Ｖsが印加される場合、当該選択電圧の印
加期間においてデータ信号は電圧＋Ｖdから電圧−Ｖdに切り替わる。なお、負極性の選択
電圧−Ｖsが印加される場合では、当該選択電圧の印加期間においてデータ信号は電圧−
Ｖdから電圧＋Ｖdに切り替わる。
データ線と走査線とは、互いに容量的に結合するので、データ線の電圧が切り替わると
、その電圧の切り替わりにともなって走査線の電圧、すなわち選択電圧がシフトする。
したがって、画素容量には、当初の目標とは異なる電圧が保持される結果、表示のムラ
が発生する。この表示のムラは、選択電圧のシフトに起因して１行を単位として発生する
ので、走査線の延在方向である横方向に拡がってみえる。これが、いわゆる横クロスロー
クである。
なお、この横クロストークは、右寄せで統一した場合だけでなく、左寄せで統一した場
合にも発生する。
【００１４】
この横クロストークを低減させるために、右寄せと左寄せとを一定の比率で混在させる
技術が提案された（例えば、特開平１１−５２３３３号公報参照）。
右寄せによるデータ信号の電圧切替方向と、左寄せによるデータ信号の電圧切替方向と
が互いに逆向きとなるので、右寄せと左寄せとを混在させると、図１５（ｂ）に示される
ように、両者による電圧変動成分が互いに打ち消し合うので、選択電圧のシフトが低減し
て、横クロストークの発生を抑えることができる。
しかしながら、上記技術では表示内容によっては、右寄せ、左寄せ、各々からなるデー
タ信号の電圧切り替えタイミングのバランスから、依然として横クロストークが発生して
しまう、という問題が生じた。
【００１５】
ここで、クロストーク特性について、透過率に対し、クロストーク量がどのように変化
するかについて図１６を参照して説明する。
なお、ここでいう透過率とは、透過光量が最小となる場合を０％とし、最大となる場合
を１００％として正規化したものである。また、クロストーク量とは、画素容量に保持さ
れる電圧が変化していない場合の基準透過率に対して、上記透過率がどれだけ変化したか
を示す変化率である。
図１６に示されるように、右寄せと左寄せとでは、透過率に対するクロストークの発生
状態が異なり、右寄せと左寄せとを混在させると、双方のクロストークの特性を反映させ
たような特性となる。
【００１６】
ところで、図１６は、透過率が変わるとクロストーク量を最小とせる方式も異なること
を意味している。そこで、本発明者は、逆に透過率毎に、右寄せと左寄せとを混在させる
とともに、その比率を変化させて、クロストーク量がどうなるのかについて測定した。そ
の結果が図１７である。
この図は、１行分の画素の透過率をそれぞれ２０％、５０％および８０％に固定した場
合に、右寄せの比率を０から１００％まで（左寄せの比率を１００から０％まで）変化さ
せたときのクロストーク量の変化を示す図である。この図からは、右寄せと左寄せとを混
在させた場合に、透過率によって、クロストーク量が最小となる比率も異なることが判る
。
したがって、１行分の画素を、右寄せかまたは左寄せにするかについて、透過率、すな
わち当該透過率を規定する階調値毎に最適な比率で（当該階調値においてクロストーク量
を最小とさせる比率で）決定することにより、画素１行分の階調値の分布状態にかかわら
ず、クロストークを最小限に抑えることが可能となる。
【００１７】
例えば、各画素において階調値Ｇ０〜Ｇ１５の１６階調表示を可能とする場合に、図７
に示されるように、最低階調値Ｇ０と最高階調値Ｇ１５を除いた階調値Ｇ１〜Ｇ１４毎に
、最適な右寄せの比率（左寄せの比率）を実験的に求めておく一方、選択する１行分の画
素に対し、階調値Ｇ１〜Ｇ１４毎に分離するとともに、ある階調値の画素を、図７に示さ
れる比率で右寄せか左寄せかを決定して、対応する走査線に選択電圧が印加されたときに
、決定した方式にしたがってオン電圧を寄せて印加する構成とすれば、クロストークを最
小限に抑えることが可能となる。
【００１８】
なお、図７においては、１行分の画素において、階調値Ｇ４である画素のうち、右寄せ
を０．６（６０％）の割合で、左寄せを０．４（４０％）の割合で、それぞれオン電圧を
寄せるべきことを意味している。
例えば、１行分の画素数が２０個である場合に、階調値Ｇ４である画素が５個であれば
、そのうち３個を右寄せとし、２個を左寄せとして、それぞれオン電圧を寄せるべきこと
を意味している。また、他の１５個の画素のうち、階調値Ｇ５である画素が４個であれば
、そのうち、２個を右寄せとし、２個を左寄せとして、それぞれオン電圧を寄せるべきこ
とを意味している。
【００１９】
このように階調値毎に比率を設定しても、階調値となる画素数、または、設定した比率
によっては、目的の比率に正確に分配することができない場合がある。例えば、１行分の
画素のうち、階調値Ｇ３の個数が例えば６個である場合、右寄せと左寄せとの比率を０．
７と０．３との割合で正確に配分することができない。
一方、上述したように右寄せが基本である。
そこで実際的には、最初に右寄せに優先的に決定し、この後、所定個数だけ左寄せに決
定して、以下、この繰り返しとする。
例えば、１行分の画素２０個に対して、図８（ａ）に示されるように階調値が規定され
ている場合、階調値Ｇ６である画素は、２、３、５、８、１２、１４、１７および２０列
目の計８個である。階調値Ｇ６については、図７に示される通り、右寄せが０．４、左寄
せが０．６の比率で決定すべきであるが、この比率では正確に整数個で分配することがで
きない。一方、右寄せが０．４、左寄せが０．６の比率は、図７において括弧で示される
ように、右寄せ２個に対し、左寄せ３個である。このため、図８（ｂ）に示されるように
、階調値Ｇ６である８個の画素のうち、最初の２個（２、３列目）の画素については右寄
せとし、次の３個（５、８、１２列目）の画素について左寄せとし、続く２個（１４、１
７列目）の画素については再び右寄せとし、残り（２０列目）について左寄せとする。
図８（ａ）で示されるように階調値が規定されている場合、他の階調値についても同様
にして、右寄せを優先して、寄せ方を決定する。例えば、階調値Ｇ８である画素は、６、
９、１３、１５、１８および１９列目の計６個であるが、階調値Ｇ８については、右寄せ
３個に対し、左寄せ７個であるので、最初の３個（６、９、１３列目）の画素については
右寄せとし、残り（１５、１８、１９列目）の画素について左寄せとする。
【００２０】
このような手順によって、１行分の画素を、右寄せかまたは左寄せにするかについて、
階調値毎に最適な比率で（または、それに近い比率で）決定することができるので、クロ
ストークを最小限に抑えることが可能となる。
【００２１】
なお、図７に示されるように、階調値毎に設定される比率は階調値が近い場合には、同
じ比率となる場合がある。また、右寄せ比率（左寄せ比率）は、階調値が増加すると、一
様に減少（増加）する。
このため、図９に示されるように、隣接する階調値同士をブロック化するとともに、当
該ブロックの右寄せ比率（左寄せ比率）を同じ値としても良い。
【００２２】
いずれにしても、階調値（ブロック化された場合を含む）毎の右寄せと左寄せとの比率
は、予め図１７に示されるような特性を実験的に求めるとともに、その特性において、透
過率（階調値）毎にクロストーク量を最小とするような値に設定する必要がある。したが
って、図７、図９に示される比率は、あくまでも例示であり、対象（機種）が異なれば、
その特性に合わせて再度設定する必要がある。
【００２３】
次に、本発明の具現化した第１実施形態に係る電気光学装置について説明する。図１は
、第１実施形態に係る電気光学装置の構成を示すブロック図である。
この図に示されるように、電気光学装置１０は、表示領域１００、決定回路２４０、デ
ータ線駆動回路２５０および制御回路４００を有する。
このうち、表示領域１００には、３０行の走査線３１１が行（Ｘ）方向に延在する一方
、２０列のデータ線２１１が列（Ｙ）方向に延在するように設けられている。画素１１６
は、走査線３１１とデータ線２１１との交差に対応して、それぞれ配列している。したが
って、本実施形態では、画素１１６が縦３０行×横２０列でマトリクス状に配列するが、
本発明をこれに限定する趣旨ではない。
【００２４】
画素１１６の構成について図２（ａ）で説明したように、走査線３１１とデータ線２１
１との交差に対応して、ＴＦＤ２２０と画素容量１１８との直列接続の一端が走査線３１
１に接続され、その他端がデータ線２１１に接続された構成となっている。
なお、図２（ａ）は、ｉ行及びこれに隣接する（ｉ＋１）行と、ｊ列及びこれに隣接す
る（ｊ＋１）列との交差に対応する２×２の計４画素分の構成が示されている。なお、ｉ
、（ｉ＋１）は、画素１１６が配列する行を一般的に示す場合の記号であり、１以上３０
以下の整数であり、ｊ、（ｊ＋１）は、画素１１６が配列する列を一般的に示す場合の記
号であり、１以上２０以下の整数である。
また、本実施形態では、画素容量１１８の電圧実効値が小さくなるにつれて、画素が明
るくノーマリーホワイトモードとし、最低階調値Ｇ０は最も暗い状態を指定し、最高階調
値Ｇ１５は最も明るい状態を指定するものとする。したがって、画素を暗くするには、階
調値を低くして、画素容量１１８に印加される電圧実効値を高くする必要がある。
【００２５】
説明を再び図１に戻すと、制御回路４００は、１水平走査期間の開始を規定するラッチ
パルスＬＰや、極性指示信号ＰＯＬ、スタートパルスＤＹ、クロック信号ＣＬＹ等の各種
制御信号によって表示領域１００の走査を制御するものである。なお、これらの制御信号
の内容は、その都度説明することにする。
【００２６】
走査線駆動回路３５０は、図３に示されるように、走査信号Ｙ１、Ｙ２、Ｙ３、…、Ｙ
３０を、１行目、２行目、３行目、…、３０行目の走査線３１１に供給するものであり、
３０行の走査線３１１を１水平走査期間（１Ｈ）毎に１行ずつ選択するとともに、選択し
た走査線に対し、当該水平走査期間の後半期間において、選択電圧±Ｖsのいずれかを印
加する一方、その他の走査線に対しては、非選択（保持）電圧±Ｖdを印加するものであ
る。
【００２７】
詳細には、走査線駆動回路３５０は、垂直走査期間（１Ｆ）の最初に供給されるスター
トパルスＤＹを、１周期が１水平走査期間（１Ｈ）のクロック信号ＣＬＹの立ち上がりに
て順次取り込んでシフトして、そのシフト信号（図示省略）によって走査線３１１を１水
平走査期間毎に順番に選択する。
そして、走査線駆動回路３５０は、各走査線３１１に対し、選択に応じて、次のように
電圧を選択して印加する。
すなわち、走査線駆動回路３５０は、選択した走査線３１１に対し、１水平走査期間の
後半期間（０．５Ｈ）において、極性指示信号ＰＯＬがＨレベルであれば、正極性選択電
圧＋Ｖsを印加し、当該期間経過後、非選択電圧＋Ｖdを印加する一方、選択された１水平
走査期間において、極性指示信号ＰＯＬがＬレベルであれば、負極性選択電圧−Ｖsを印
加し、当該期間経過後、非選択電圧−Ｖdを選択する。
【００２８】
ここで、極性指示信号ＰＯＬは、Ｈレベルであれば正極性書込を指定し、Ｌレベルであ
れば負極性書込を指定する信号であり、図３に示されるように、１垂直走査期間（１Ｆ）
内では、１水平走査期間（１Ｈ）毎に極性反転するとともに、隣接する１垂直走査期間同
士において同一の水平走査期間に着目しても極性反転の関係にある。このように極性反転
する理由は、液晶に直流成分が印加されることによる劣化を防止するためである。
なお、スタートパルスＤＹ、クロック信号ＣＬＹ、極性指示信号ＰＯＬは、上述した制
御回路４００から供給される。
【００２９】
一方、図示しない上位装置から、ドットクロックＣＬＸに同期して、画素の階調値Ｇ０
〜Ｇ１５をデジタルで指定する階調データＤaが供給される。決定回路２４０は、階調デ
ータＤaを１列目から２０列目まで順次１行分解析し、当該１行分の画素について右寄せ
とするか左寄せとするかを決定して、その決定結果を示す信号ＬＲ１〜ＬＲ２０を各列に
対応して出力するものである。
なお、決定回路２４０において、右寄せとするか左寄せとするかについては、図７、図
８（ａ）および図８（ｂ）で説明した通りである。
【００３０】
データ線駆動回路２５０は、走査線駆動回路３５０によって、ある１行の走査線が選択
された場合に、当該走査線に位置する１行分の画素１１６に対し、その階調値に応じたパ
ルス幅を決定回路２４０で決定された方式で寄せて、データ線２１１を介して供給するも
のである。
なお、図２（ａ）においては、１、２、３、…、２０列目のデータ線２１１に供給され
るデータ信号を、それぞれＸ１、Ｘ２、Ｘ３、…、Ｘ２０と表記している。また、列を特
定しないでデータ信号を表記する場合には、上述した符号ｊを用いて、Ｘｊというように
表記する。
【００３１】
図４は、データ線駆動回路２５０の構成を示すブロック図である。
この図において、シフトレジスタ２５１０は、スタートパルスＤＸを、ドットクロック
ＣＬＸの立ち上がりにて順次取り込んでシフトするとともに、これらのシフト信号をデー
タ線２１１の各々に対応してサンプリング信号Ｘｓ１、Ｘｓ２、Ｘｓ３、…、Ｘｓ２０と
して出力するものである。ここで、スタートパルスＤＸおよびドットクロックＣＬＸは、
それぞれ制御回路４００から供給される（図１では図示省略）。
次に、レジスタ（Ｒｇ）２５２０は、データ線２１１と一対一に対応して設けられ、供
給された階調データＤaを、サンプリング信号の立ち上がりにてサンプリングして、保持
するものである。
【００３２】
続いて、ラッチ回路（Ｌ）２５３０は、レジスタ２５２０と一対一に対応して設けられ
、レジスタ２５２０によって保持された階調データＤaを、制御回路４００から供給され
るラッチパルスＬＰによってラッチ出力するものである。
デコーダ２５４０は、ラッチ回路２５３０と一対一に対応して設けられ、ラッチ出力さ
れた階調データＤaから、電圧＋Ｖd、−Ｖdのいずれかを選択するための電圧選択信号Ｅ
ｆを、リセット信号ＲＥＳ、交流駆動信号ＭＸ、階調コードパルスＧＣＰ−ＲまたはＧＣ
Ｐ−Ｌのいずれか、および、寄せ方式を規定する信号を用いて生成するものである。
なお、リセット信号ＲＥＳ、交流駆動信号ＭＸ、階調コードパルスＧＣＰ−ＲおよびＧ
ＣＰ−Ｌは、制御回路４００から供給される。
【００３３】
デコーダ２５４０が用いる信号のうち、リセット信号ＲＥＳは、図６に示されるように
１水平走査期間の前半期間および後半期間の各開始時に供給される。交流駆動信号ＭＸは
、同図に示されるように、極性指示信号ＰＯＬの位相を９０度進めた（２７０度遅らせた
）信号である。このため、交流駆動信号ＭＸは、極性指示信号ＰＯＬがＨレベルとなって
正極性書込となる１水平走査期間では、その前半期間においてＨレベルとなり、その後半
期間においてＬレベルとなる一方、極性指示信号ＰＯＬがＬレベルとなって正極性書込と
なる１水平走査期間では、その前半期間においてＬレベルとなり、その後半期間において
Ｈレベルとなる。
【００３４】
階調コードパルスＧＣＰ−Ｒは、右寄せのデータ信号を生成する場合に用いるものであ
り、同図に示されるように、１水平走査期間の前半期間、後半期間のそれぞれにおいて、
最低階調値Ｇ０および最高階調値Ｇ１５を除いた階調値Ｇ１、Ｇ２、…、Ｇ１４の順に対
応するような配列で出力される。このため、階調コードパルスＧＣＰ−Ｒの配列は、特に
後半期間にあっては、階調値Ｇ１、Ｇ２、…、Ｇ１４の各々に対応するオン電圧の印加開
始タイミングを規定することになる。
一方、階調コードパルスＧＣＰ−Ｌは、左寄せのデータ信号を生成する場合に用いるも
のであり、同図に示されるように、１水平走査期間の前半期間、後半期間のそれぞれにお
いて、最低階調値Ｇ０および最高階調値Ｇ１５を除いた階調値Ｇ１４、Ｇ１３、…、Ｇ１
の順に対応するような配列で出力される。このため、階調コードパルスＧＣＰ−Ｌの配列
は、特に後半期間にあっては、階調値Ｇ１４、Ｇ１３、…、Ｇ１の各々に対応するオン電
圧の印加終了タイミングを規定することになる。
なお、図において、階調コードパルスＧＣＰ−ＲおよびＧＣＰ−Ｌは、それぞれ等間隔
のようにみえるが、実際には、画素容量１１８の印加電圧−透過率特性（Ｖ−Ｔ特性）な
どを考慮して設定される。
【００３５】
ここで、各列のデコーダ２５４０には、階調コードパルスＧＣＰ−ＲまたはＧＣＰ−Ｌ
のいずれか一方が、信号ＬＲ１〜ＬＲ２０のうち、対応する列のもので指定された方が供
給される構成となっている。例えば、２列目のデコーダ２５４０には、２列目に対応する
信号ＬＲ２によって右寄せが指定された場合、スイッチ２５７０が図４において実線の位
置をとって、階調コードパルスＧＣＰ−Ｒが供給される一方、左寄せが指定された場合に
は、スイッチ２５７０が図において破線の位置をとって、階調コードパルスＧＣＰ−Ｌが
供給される。
【００３６】
デコーダ２５４０は、１水平走査期間（１Ｈ）において、階調データＤaが最低階調値
Ｇ０および最高階調値Ｇ１５以外の中間階調を指定する場合、次のような電圧選択信号Ｅ
ｆを生成する。
すなわち、この場合、デコーダ２５４０は、電圧選択信号Ｅｆについて、第１に、１水
平走査期間の開始時にリセット信号ＲＥＳが出力されたとき、交流駆動信号ＭＸの反転レ
ベルにリセットし、第２に、階調コードパルスＧＣＰ−ＲまたはＧＣＰ−Ｌのうち、ラッ
チ出力された階調データＤaで指定された階調値に対応するものが出力されたとき、交流
駆動信号ＭＸと同一レベルにセットし、第３に、１水平走査期間の後半期間（１／２Ｈ）
に至って、階調コードパルスＧＣＰ−ＲまたはＧＣＰ−Ｌのうち、当該階調データＤaで
指定された階調値に対応するものが再び出力されたとき、交流駆動信号ＭＸのレベルと同
一レベルに再セットして、生成する。
なお、階調コードパルスＧＣＰ−ＲおよびＧＣＰ−Ｌは、階調データＤaで指定された
階調値に対応するパルスの順番が逆転しているので、デコーダ２５４０には、右寄せが指
定されているのか、左寄せが指定されているのかを知るために、信号ＬＲ１〜ＬＲ２０の
うち、対応する列のものが供給されている。
また、デコーダ２５４０は、階調データＤaが最低階調値Ｇ０である場合には、１水平
走査期間（１Ｈ）において、電圧選択信号Ｅｆを交流駆動信号ＭＸの同一レベルとし、階
調データＤaが最高階調値Ｇ１５である場合には、１水平走査期間（１Ｈ）において、電
圧選択信号Ｅｆを交流駆動信号ＭＸの反転レベルとする。
【００３７】
スイッチ２５５０は、デコーダ２５４０と一対一に対応して、すなわち、データ線２１
１と一対一に対応して設けられて、電圧選択信号Ｅｆに応じて電圧＋Ｖd、−Ｖdのいずれ
か一方を選択するものである。詳細には、スイッチ２５５０は、電圧選択信号ＥｆがＨレ
ベルであれば、図４において実線で示されるように電圧＋Ｖdを選択する一方、電圧選択
信号ＥｆがＬレベルであれば、図において破線で示されるように電圧−Ｖdを選択して、
それぞれ選択した電圧を、対応するデータ線２１１に印加する。
このように、レジスタ２５２０、ラッチ回路２５３０、デコーダ２５４０およびスイッ
チ２５５０は、データ線２１１毎に設けられて、各列で同時並行的に動作することになる
。
【００３８】
次に、データ線駆動回路２５０の動作について検討する。まず、図５に示されるように
、スタートパルスＤＸが供給されると、選択されるべき行の１列目、２列目、３列目、…
、２０列目の画素に対応する階調データＤaがドットクロックＣＬＸに同期して順番に供
給される。このうち、１列目の画素に対応する階調データＤaが供給されるタイミングに
おいて、サンプリング制御信号Ｘｓ１がＨレベルに立ち上がると、当該階調データが、１
列目に対応するレジスタ２５２０によってサンプリングされる。次に、２列目の画素に対
応する階調データＤaが供給されるタイミングにおいて、サンプリング制御信号Ｘｓ２が
Ｈレベルに立ち上がると、当該階調データが、２列目に対応するレジスタ２５２０によっ
てサンプリングされる。以下同様にして、３列目、４列目、…、２０列目の画素に対応す
る階調データＤaの各々が、それぞれ３列目、４列目、…、２０列目に対応するレジスタ
２５２０によってサンプリングされることになる。
【００３９】
そして、水平走査期間（１Ｈ）の開始に合わせて、ラッチパルスＬＰが出力されると、
それぞれ各列のレジスタ２５２０によってサンプリングされた階調データＤaが、それぞ
れの列に対応するラッチ回路２５３０によって一斉にラッチ出力される。このため、サン
プリングされた階調データＤaは、次の走査線が選択されるまでの水平走査期間（１Ｈ）
だけ保持された状態で、デコーダ２５４０に出力される。したがって、各列のデコーダ２
５４０は、１水平走査期間にわたって保持された階調データＤaに応じたパルス幅となる
ように電圧＋Ｖd、−Ｖdのいずれかを選択することになる。この選択の際、デコーダ２５
４０は、上述したようにリセット信号ＲＥＳ、交流駆動信号ＭＸおよび階調コードパルス
ＧＣＰ−ＲまたはＧＣＰ−Ｌを制御信号として用いるので、データ信号の電圧波形は、保
持された階調データＤaで指定された階調値に対して図６に示されるような関係となる。
【００４０】
すなわち、ｊ列目のデータ線２１１に印加されるデータ信号Ｘｊは、同図に示されるよ
うに、信号ＬＲｊによって右寄せが指定された場合に、１水平走査期間の後半期間（１／
２Ｈ）に正極性の選択電圧＋Ｖsが印加されるとき、当該後半期間（１／２Ｈ）にあって
は、階調データＤaによって階調値が小さくなるにつれて、当該後半期間の終了端を基準
として、選択電圧とは逆極性のオン電圧−Ｖdの印加期間が長くなる一方、その前半期間
（１／２Ｈ）にあっては、階調データＤaによって階調値が小さくなるにつれて、逆に、
電圧−Ｖdの印加期間が短くなる。
また、データ信号Ｘｊは、１水平走査期間の後半期間（１／２Ｈ）に負極性の選択電圧
−Ｖsが印加されるとき、当該後半期間（１／２Ｈ）にあっては、階調データＤaによって
階調値が小さくなるにつれて、当該後半期間の終了端を基準として、選択電圧とは逆極性
のオン電圧＋Ｖdの印加期間が長くなる一方、その前半期間（１／２Ｈ）にあっては、階
調データＤaによって階調値が小さくなるにつれて、逆に、電圧＋Ｖdの印加期間が短くな
る。
【００４１】
一方、データ信号Ｘｊは、信号ＬＲｊによって左寄せが指定された場合に、１水平走査
期間の後半期間（１／２Ｈ）に正極性の選択電圧＋Ｖsが印加されるとき、当該後半期間
（１／２Ｈ）にあっては、階調データＤaによって階調値が小さくなるにつれて、当該後
半期間の開始端を基準として、選択電圧とは逆極性のオン電圧−Ｖdの印加期間が長くな
る一方、その前半期間（１／２Ｈ）にあっては、階調データＤaによって階調値が小さく
なるにつれて、逆に、電圧−Ｖdの印加期間が短くなる。
また、データ信号Ｘｊは、１水平走査期間の後半期間（１／２Ｈ）に負極性の選択電圧
−Ｖsが印加されるとき、当該後半期間（１／２Ｈ）にあっては、階調データＤaによって
階調値が小さくなるにつれて、当該後半期間の開始端を基準として、選択電圧とは逆極性
のオン電圧＋Ｖdの印加期間が長くなる一方、その前半期間（１／２Ｈ）にあっては、階
調データＤaによって階調値が小さくなるにつれて、逆に、電圧＋Ｖdの印加期間が短くな
る。
【００４２】
すなわち、データ信号では、右寄せであっても左寄せであっても、階調データＤaによ
って階調値が小さくなるにつれて、選択電圧とは逆極性の電圧、すなわち、画素を暗くさ
せるのオン電圧が当該後半期間に印加される期間が長くなり、その前半期間では、後半期
間に印加される電圧波形を逆転させた波形となる。
このうち、右寄せであれば、オン電圧の印加期間が選択電圧の印加期間に対して時間的
に後方に寄せられる一方、オン電圧の印加期間が選択電圧の印加期間に対して時間的に前
方に寄せられる。
なお、図６におけるハッチングは、選択電圧が印加される後半期間において、データ信
号がオン電圧となる期間を示している。また、図６では代表的な階調値だけを表示してい
る。
【００４３】
このような構成によれば、決定回路２４０が、選択される１行分の画素を、階調値毎に
右寄せと左寄せとを図７に示される比率で設定し、データ線駆動回路２５０が、階調デー
タＤaで指定されたパルス幅のデータ信号を、決定された寄せ方で生成して、データ線に
供給するので、横クロストークを抑えることが可能となる。
【００４４】
ところで、第１実施形態では、決定回路２４０を、データ線駆動回路２５０とを別体と
した。そこで、決定回路２４０をデータ線駆動回路２５０に組み込んで、構成の簡略化を
図った第２実施形態について説明する。
図１０は、この第２実施形態に係る電気光学装置１０の構成を示すブロック図であり、
上述したように図１で示した第１実施形態で別体とした決定回路２４０をデータ線駆動回
路２５０に組み込んだ構成となっている。
具体的には、第２実施形態に係るデータ線駆動回路２５０は、図４に示した構成に加え
て、図１１に示されるような、決定回路２４０に相当する付加回路を付加した構成とした
ものである。すなわち、この付加回路は、水平走査期間(１Ｈ)毎に階調データＤaを順次
１行分解析して、各列において右寄せか左寄せかを規定する信号ＬＲ１〜ＬＲ２０を生成
するものである。
【００４５】
さて、図１１において、デコーダ２６１は、最低階調値Ｇ０および最高階調値Ｇ１５を
除いた階調値Ｇ１〜Ｇ１４毎に対応して１４個設けられ、階調データＤaをデコードして
、当該階調データＤaで指定された階調値が、それぞれ階調値Ｇ１〜Ｇ１４である場合に
、その旨を示す検出信号ｄ１〜ｄ１４を出力するものである。例えば、図１１において左
から３番目のデコーダ２６１は、階調データＤaで階調値Ｇ３が指定されていた場合には
、その旨の検出信号ｄ３を出力する。
したがって、最低階調値Ｇ０および最高階調値Ｇ１５を除いた階調データＤaを１画素
分だけ入力したときに、検出信号ｄ１〜ｄ１４のうち、当該階調データＤaで指定される
階調値のもの１つだけが出力される。
【００４６】
寄せ規定信号生成回路２７０は、デコーダ２６１と一対一に対応して設けられ、第１に
、対応するデコーダ２６１による検出信号の出力回数をカウントするとともに、そのカウ
ント結果が、入力端ａにセットされた回数に達するまで、その出力信号をＬレベルに維持
し、第２に、当該カウント結果が、入力端ａにセットされた回数に達したとき、当該カウ
ント結果をゼロにリセットするとともに、その出力信号をＨレベルに変化させ、今度は、
当該カウント結果が入力端ｂにセットされた回数に達するまで、その出力信号をＨレベル
に維持し、第３に、当該カウント結果が、入力端ｂにセットされた回数に達したとき、当
該カウント結果をゼロにリセットするとともに、その出力信号をＬレベルに変化させる、
という動作を１行分の階調データＤaが供給される期間にわたって、繰り返し実行するも
のである。
【００４７】
階調値Ｇ１に対応する寄せ規定信号生成回路２７０の詳細について、図１２を参照して
説明する。
この図において、カウンタ２７１は、検出信号ｄ１が出力される毎にアップカウントす
して、そのカウント値を示すデータＣ１を出力するものである。一致検出回路２７３は、
入力端Ａに供給されたデータの値と、入力端Ｂに供給されたデータＣ１で示されるカウン
ト値とが一致したときに、その旨を示すパルスＥＰを出力するものである。
一方、切替回路２７４は、入力端ａに供給された値「９」と入力端ｂに供給された値「
１」とをパルスＥＰが出力される毎に交互に選択し、選択した値を一致検出回路２７３の
入力端Ａに供給するものである。なお、切替回路２７４における初期選択状態は入力端ａ
である。
ＯＲ回路２７２は、ラッチパルスＬＰとパルスＥＰとの論理和信号を求める。この論理
和信号は、カウンタ２７１のリセット端子に供給されているので、カウンタ２７１のカウ
ント値は、１水平走査期間の最初、または、当該カウント値が切替回路２７４により選択
されている値に一致した場合に、ゼロにリセットされる構成となっている。
レベル変更回路２７４は、ラッチパルスＬＰが出力されたときに、信号ＡをＬレベルに
リセットし、その後、パルスＥＰが出力される毎に、信号Ａ１の論理レベルを反転するも
のである。
【００４８】
したがって、階調値Ｇ１に対応する寄せ規定信号生成回路２７０から出力される信号Ａ
１は、ラッチパルスＬＰの出力によって１水平走査期間（１Ｈ）の開始時にＬレベルにリ
セットされ、階調値Ｇ１の階調データＤaが９個カウントされると、Ｈレベルにセットさ
れ、その後、階調値Ｇ１の階調データＤaが１個カウントされると、再びＬレベルにセッ
トされて、以降同様にして変化する。
ここでは、階調値Ｇ１に対応する寄せ規定信号生成回路２７０について代表して説明し
たが、他の階調値Ｇ２〜Ｇ１４についても（切替回路２７４の）入力端ａ、ｂに供給され
る値が異なる以外、同様な構成となっている。なお、各階調値に対応する入力端ａ、ｂに
供給される値は、図７の括弧で示した値である。
【００４９】
再び説明を図１１に戻すと、セレクタ２６４は、検出信号ｄ１〜ｄ１４が出力された階
調値に対応しているもの１つを選択して、信号ＬＲとして出力するものである。
シフトレジスタ２６５は、データ線２１１の本数と等しい２０のシフト段を有し、信号
ＬＲを、ドットクロックＣＬＸで順次シフトする。
ラッチ回路２６６は、データ線２１１に対して一対一に対応して設けられ、シフトレジ
スタ２６５によってシフトされた信号ＬＲを、ラッチパルスＬＰによって一斉に信号ＬＲ
１〜ＬＲ２０として出力するものである。
この信号ＬＲ１〜ＬＲ２０に基づき、各列において階調コードパルスＧＣＰ−Ｒまたは
ＧＣＰ−Ｌのいずれかを用いる点は、図４に示した構成が図６のように動作する点と同様
である。
【００５０】
このような決定回路に相当する付加回路において、１行分の画素２０個に対して、図８
（ａ）に示されるように階調値が規定されている場合、データＣ５で示されるカウント値
は、階調値Ｇ５である階調データＤaが供給される毎にアップカウントされる。なお、階
調値Ｇ５において入力端ａ、ｂに供給される値はそれぞれ「１」であるので、当該カウン
ト値は「１」となる毎にゼロリセットされる一方、信号Ａ５の論理レベルが反転する。
また、データＣ６で示されるカウント値は、階調値Ｇ６である階調データＤaが供給さ
れる毎にアップカウントされる。なお、階調値Ｇ６において入力端ａ、ｂに供給される値
はそれぞれ「２」、「３」であるので、当該カウント値は「２」となって時点でゼロリセ
ットされ、この後、「３」となった時点でリセットされ、次は、「２」になった時点でゼ
ロにリセットされることになる。信号Ａ６の論理レベルは、初期状態のＬレベルから、ゼ
ロリセットされる毎に論理レベルが反転する。
そして、セレクタ２６４の出力はシリアルであるので、これをシフトレジスタ２６５お
よびラッチ回路２６６によって、ラッチパルスＬＰで一斉に列毎にパラレルで出力する。
したがって、各行において付加回路側で解析される階調データＤaの行と、サンプリン
グされる階調データＤaの行との対応関係が崩れることはない。すなわち、図１３におい
て、ラッチパルスＬＰで一斉に出力される信号ＬＲ１〜ＬＲ２０は、図５において、ラッ
チパルスＬＰで一斉に出力される階調データＤaの１行分に相当している。
【００５１】
この第２実施形態によれば、決定回路２４０を付加回路としてデータ線駆動回路２５０
に組み込んで内蔵させた構成としているので、集積化に適しており、横クロストークを非
常に簡易な構成によって抑えることが可能となる。
なお、図１１において、最低階調値Ｇ０および最高階調値Ｇ１５に相当する階調データ
Ｄaについてはデコードする必要がない。この理由は上述したように、階調データＤaが最
低階調値Ｇ０および最高階調値Ｇ１５であれば、階調コードパルスＧＣＰ−Ｒ、ＧＣＰ−
Ｌのいずれも用いないので、信号ＬＲ１〜ＬＲ２０でいずれかを規定する必要がないため
である。換言すれば、図１１において、供給されたｊ列目の階調データＤaが最低階調値
Ｇ０および最高階調値Ｇ１５であれば、信号ＬＲ１〜ＬＲ２０のうち、ｊ列目の信号ＬＲ
ｊは不定となるが、信号ＬＲｊが不定となっても、階調コードパルスＧＣＰ−ＲおよびＧ
ＣＰ−Ｌのいずれも用いないので問題ないのである。
【００５２】
なお、上述した各実施形態では、ノーマリーホワイトモードであるとしたが、画素容量
１１８の電圧実効値が小さくなるにつれて画素が暗くなるノーマリーブラックモードとし
ても良い。
また、１６階調表示に限らず、これによりも低階調表示としても良いし、これよりも高
階調表示としても良い。さらに、Ｒ（赤）、Ｇ（緑）、Ｂ（青）の３画素で１ドットを構
成して、カラー表示を行うとしても良い。
さらに、ＴＦＤ２２０を用いてスイッチングしないで、画素１１６を、図２（ｂ）に示
されるような構成とした、いわゆるパッシブマトリクス方式にも適用可能である。
【００５３】
表示領域１００は透過型に限られず、反射型や、両者の中間的な半透過半反射型であっ
ても良い。
また、上述した各例では、液晶の型については限定されず、ＴＮ型や、ＳＴＮ型など、
分子の長軸方向と短軸方向とで可視光の吸収に異方性を有する染料（ゲスト）を一定の分
子配列の液晶（ホスト）に溶解して、染料分子を液晶分子と平行に配列させたゲストホス
ト型などの液晶を用いても良い。くわえて、電圧無印加時には液晶分子が両基板に対して
垂直方向に配列する一方、電圧印加時には液晶分子が両基板に対して水平方向に配列する
、という垂直配向（ホメオトロピック配向）の構成としても良いし、電圧無印加時には液
晶分子が両基板に対して水平方向に配列する一方、電圧印加時には液晶分子が両基板に対
して垂直方向に配列する、という面内スイッチング方式で説明した平行（水平）配向（ホ
モジニアス配向）の構成としても良い。
さらに、本発明は、液晶に限らず、パルス幅変調によって階調表示を行う構成に適用可
能である。また、上記した右寄せ、左寄せと言った寄せ方式の他にも、選択電圧が印加さ
れている期間内の異なるタイミングでパルス幅を定める方式であれば、組み合わせること
は当然可能である。
【００５４】
次に、上述した実施形態に係る電気光学装置１０を表示装置として有する電子機器につ
いて説明する。図１４は、実施形態に係る電気光学装置１０を用いた携帯電話１２００の
構成を示す斜視部である。
この図に示されるように、携帯電話１２００は、複数の操作ボタン１２０２のほか、受
話口１２０４、送話口１２０６とともに、上述した表示領域１００を備えるものである。
なお、電気光学装置１０のうち、表示領域１００の表示面以外の構成要素については電話
器に内蔵されるので、外観としては現れない。
【００５５】
なお、電気光学装置１０が適用される電子機器としては、図１４に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、タッチパネ
ルを備えた機器等などが挙げられる。そして、これらの各種電子機器の表示装置として、
上述した電気光学装置１０が適用可能であることは言うまでもない。そして、いずれの電
子機器においても、表示品位の低下を抑えて高品位の表示が簡易な構成によって実現され
ることになる。
【図面の簡単な説明】
【００５６】
【図１】本発明の第１実施形態に係る電気光学装置の構成を示すブロック図である。
【図２】同電気光学装置における画素の一例を示す図である。
【図３】同電気光学装置における走査信号の波形を示す図である。
【図４】同電気光学装置におけるデータ線駆動回路の構成を示す図である。
【図５】同データ線駆動回路の動作を説明するための図である。
【図６】同電気光学装置におけるデータ信号の波形を示す図である。
【図７】同電気光学装置における階調値と左／右寄せ比率との関係を示す図である。
【図８】同電気光学装置における１行分の左／右寄せの決定の一例を示す図である。
【図９】第１実施形態における別例を示す図である。
【図１０】本発明の第２実施形態に係る電気光学装置の構成を示すブロック図である。
【図１１】同電気光学装置のデータ線駆動回路の要部構成を示すブロック図である。
【図１２】同データ線駆動回路における寄せ規定信号生成回路の構成を示す図である。
【図１３】同データ線駆動回路の動作を説明するための図である。
【図１４】同電気光学装置を用いた携帯電話の構成を示す図である。
【図１５】右寄せ、左寄せを説明するための図である。
【図１６】クロストークの特性を示す図である。
【図１７】クロストークの特性を示す図である。
【符号の説明】
【００５７】
１０…電気光学装置、１１６…画素、１１８…画素容量、２１１…データ線、２２０…
ＴＦＤ、２４０…決定回路、２５０…データ線駆動回路、２６１…デコーダ、３１１…走
査線、３５０…走査線駆動回路、４００…制御回路、１２００…携帯電話
【図１】
2007024921.tif 000003
【図２】
2007024921.tif 000004
【図３】
2007024921.tif 000005
【図４】
2007024921.tif 000006
【図５】
2007024921.tif 000007
【図６】
2007024921.tif 000008
【図７】
2007024921.tif 000009
【図８】
2007024921.tif 000010
【図９】
2007024921.tif 000011
【図１０】
2007024921.tif 000012
【図１１】
2007024921.tif 000013
【図１２】
2007024921.tif 000014
【図１３】
2007024921.tif 000015
【図１４】
2007024921.tif 000016
【図１５】
2007024921.tif 000017
【図１６】
2007024921.tif 000018
【図１７】
2007024921.tif 000019